(57)【要約】【課題】ライナーの全周で多数の繊維を等間隔に巻き付けていくフープ巻き装置を提供する。また、かかるフープ巻き装置を備えたフィラメントワインディング装置を提供する。【解決手段】多数のボビンＢを支持するラックプレート２３と、多数の前記ボビンＢから解除された多数の繊維Ｆをライナー１へ案内するフィードリング２４と、を備え、前記ラックプレート２３と前記フィードリング２４は、前記ライナー１を中心として回転する、フープ巻き装置とした。【選択図】図２
2015085638.tif 000002
【特許請求の範囲】
【請求項１】
多数のボビンを支持するラックプレートと、
多数の前記ボビンから解除された多数の繊維をライナーへ案内するフィードリングと、を備え、
前記ラックプレートと前記フィードリングは、前記ライナーを中心として回転する、ことを特徴とするフープ巻き装置。
【請求項２】
前記ラックプレートは、前記ライナーを中心とした仮想円上に等間隔ごとに前記ボビンを支持する、ことを特徴とする請求項１に記載のフープ巻き装置。
【請求項３】
前記フィードリングは、前記ライナーを中心とした放射状に等間隔ごとにフィードホールが設けられている、ことを特徴とする請求項１又は請求項２に記載のフープ巻き装置。
【請求項４】
請求項１から請求項３のいずれか一項に係るフープ巻き装置と、
前記ライナーを前後方向へ移送又は停止するライナー支持装置と、を備えた、ことを特徴とするフィラメントワインディング装置。
【請求項５】
請求項１から請求項３のいずれか一項に係るフープ巻き装置と、
前記フープ巻き装置を前後方向へ移動又は静止する動力装置と、を備えた、ことを特徴とするフィラメントワインディング装置。
【発明の詳細な説明】
【技術分野】
【０００１】
本発明は、フープ巻き装置及びフープ巻き装置を備えたフィラメントワインディング装置の技術に関する。
【背景技術】
【０００２】
従来より、フィラメントワインディング装置が知られている（例えば特許文献１参照）。特許文献１のフィラメントワインディング装置は、フープ巻き装置を備えている。このフープ巻き装置は、巻き掛け部がライナーを中心として回転することで、該ライナーの外周面に繊維を巻き付けていく。
【０００３】
ところで、従来のフープ巻き装置は、少数のボビンを備え、これらのボビンから解舒された少数の繊維をライナーの中心軸に対して略垂直に巻き付けていくものであった（例えば特許文献２参照）。そのため、巻き付け角度が小さい場合は、隣り合う繊維の間隔が広くならざるを得ず、所望の巻き付け態様にできないという問題を有していた。そこで、所望の巻き付け態様を実現するために、ライナーの全周で多数の繊維を等間隔に巻き付けていくフープ巻き装置が求められている。また、かかるフープ巻き装置を備えたフィラメントワインディング装置が求められている。
【先行技術文献】
【特許文献】
【０００４】
【特許文献１】特開２０１３−６３５８７号公報
【特許文献２】特開２０１３−１９３３１５号公報
【発明の概要】
【発明が解決しようとする課題】
【０００５】
本発明は、ライナーの全周で多数の繊維を等間隔に巻き付けていくフープ巻き装置を提供することを目的としている。また、かかるフープ巻き装置を備えたフィラメントワインディング装置を提供することを目的としている。
【課題を解決するための手段】
【０００６】
次に、この課題を解決するための手段を説明する。
【０００７】
即ち、第一の発明は、
多数のボビンを支持するラックプレートと、
多数の前記ボビンから解除された多数の繊維をライナーへ案内するフィードリングと、を備え、
前記ラックプレートと前記フィードリングは、前記ライナーを中心として回転する、フープ巻き装置である。
【０００８】
第二の発明は、第一の発明に係るフープ巻き装置において、
前記ラックプレートは、前記ライナーを中心とした仮想円上に等間隔ごとに前記ボビンを支持する、ものである。
【０００９】
第三の発明は、第一又は第二の発明に係るフープ巻き装置において、
前記フィードリングは、前記ライナーを中心とした放射状に等間隔ごとにフィードホールが設けられている、ものである。
【００１０】
第四の発明は、
第一から第三のいずれかの発明に係るフープ巻き装置と、
前記ライナーを前後方向へ移送又は停止するライナー支持装置と、を備えたフィラメントワインディング装置である。
【００１１】
第五の発明は、
第一から第三のいずれかの発明に係るフープ巻き装置と、
前記フープ巻き装置を前後方向へ移動又は静止する動力装置と、を備えたフィラメントワインディング装置である。
【発明の効果】
【００１２】
本発明の効果として、以下に示すような効果を奏する。
【００１３】
第一の発明によれば、多数のボビンを支持するラックプレートを備える。また、多数のボビンから解除された多数の繊維をライナーへ案内するフィードリングを備える。そして、ラックプレートとフィードリングは、ライナーを中心として回転する。このような構造により、ライナーの外周面に多数の繊維を同時に巻き付けていくことができる。
【００１４】
第二の発明によれば、ラックプレートは、ライナーを中心とした仮想円上に等間隔ごとにボビンを支持する。このような構造により、フィードリングの周囲で放射状に繊維が張られるため、繊維と繊維が接触したり絡まったりしない。
【００１５】
第三の発明によれば、フィードリングは、ライナーを中心とした放射状に等間隔ごとにフィードホールが設けられている。このような構造により、ライナーの全周へ多数の繊維を等間隔に案内できるため、巻き付け角度を小さくした所望の巻き付け態様を実現できる。
【００１６】
第四の発明によれば、第一から第三のいずれかの発明に係るフープ巻き装置を備える。また、ライナーを前後方向へ移送又は停止するライナー支持装置を備える。このような構造により、静止しているフープ巻き装置に対してライナーが移動するので、該ライナーの外周面に連続的に繊維を巻き付けていくことができる。
【００１７】
第五の発明によれば、第一から第三のいずれかの発明に係るフープ巻き装置を備える。また、フープ巻き装置を前後方向へ移動又は静止する動力装置を備える。このような構造により、静止しているライナーに対してフープ巻き装置が移動するので、該ライナーの外周面に連続的に繊維を巻き付けていくことができる。
【図面の簡単な説明】
【００１８】
【図１】フィラメントワインディング装置を示す図。
【図２】フープ巻き装置を示す図。
【図３】図２の矢印Ｘの方向から見た図。
【図４】他の実施形態に係るフィラメントワインディング装置を示す図。
【図５】他の実施形態に係るフープ巻き装置を示す図。
【図６】図５の矢印Ｘの方向から見た図。
【図７】筒網体を示す図。
【発明を実施するための形態】
【００１９】
まず、フィラメントワインディング装置１００（以降「ＦＷ装置１００」）について簡単に説明する。
【００２０】
図１は、ＦＷ装置１００を示している。なお、図中の矢印Ｔは、ライナー１の移送方向を示している。ここでは、ライナー１の移送方向をＦＷ装置１００の前後方向とし、ライナー１が移送される一方向を前側、他方向を後側と定義する。
【００２１】
本実施形態に係るＦＷ装置１００は、繊維Ｆによって筒網体Ｎを作成する（図７参照）。ＦＷ装置１００は、主にライナー支持装置１０と、フープ巻き装置２０と、で構成されている。なお、繊維Ｆは、ＰＥＴ（Ｐｏｌｙｅｔｈｙｌｅｎｅ  ｔｅｒｅｐｈｔｈａｌａｔｅ）を原料としているが、これに限定するものではない。
【００２２】
ライナー支持装置１０は、前後方向に対して平行にライナー１を支持する。そして、ライナー支持装置１０は、前後方向へライナー１を移送する。ライナー支持装置１０は、主に可動台１１と、固定台１２と、挿通軸１３と、で構成されている。
【００２３】
可動台１１は、台床３０に設けられたレール３１上に載置されている。可動台１１は、動力装置（図示せず）を備え、該動力装置によってレール３１上を移動する。なお、レール３１は、前後方向に対して平行となっている。そのため、可動台１１は、前後方向へ移動する。
【００２４】
固定台１２は、台床３０の端部に取り付けられている。固定台１２は、移動の手段を備えず、台床３０と一体となっている。なお、固定台１２は、可動台１１に対して対向するように配置されている。そのため、固定台１２から可動台１１までの距離は、該可動台１１の移動に伴って変化する。
【００２５】
挿通軸１３は、その一端が可動台１１によって支持されている。また、挿通軸１３は、その他端が固定台１２によって支持されている。なお、挿通軸１３と可動台１１は、固定されているが、挿通軸１３と固定台１２は、摺動自在となっている。そのため、挿通軸１３は、可動台１１が移動すると、該可動台１１とともに前後方向へ移動する。ライナー１は、挿通軸１３が挿入された状態で支持されているので、該挿通軸１３と一体となって移動する。
【００２６】
フープ巻き装置２０は、ライナー１の外周面に繊維Ｆを巻き付けていく。フープ巻き装置２０は、主に支持台２１と、回転体２２と、で構成されている。
【００２７】
支持台２１は、台床３０の上面に取り付けられている。支持台２１は、動力装置を備えず、台床３０と一体となっている。なお、支持台２１は、可動台１１と固定台１２の間に配置されている。そのため、支持台２１から可動台１１までの距離は、該可動台１１の移動に伴って変化する。また、支持台２１から固定台１２までの距離は、常に一定となる。
【００２８】
回転体２２は、支持台２１の枠内に取り付けられている。回転体２２は、動力装置を備え（図示せず）、該動力装置によって一方へ回転する（図２及び図３参照）。なお、回転体２２には、その中央部分にライナー１を通すための通路が設けられている。そのため、回転体２２は、ライナー１を中心として回転することができる。
【００２９】
次に、フープ巻き装置２０について詳細に説明する。
【００３０】
図２は、フープ巻き装置２０を示している。また、図３は、図２の矢印Ｘの方向から見た図である。なお、図中の矢印Ｒは、回転体２２、ラックプレート２３、及びフィードリング２４の回転方向を示している。
【００３１】
上述したように、フープ巻き装置２０は、主に支持台２１と、回転体２２と、で構成されている。また、本実施形態に係るフープ巻き装置２０は、ラックプレート２３と、フィードリング２４と、を備えている。
【００３２】
ラックプレート２３は、多数のボビンＢを支持するものである。ラックプレート２３は、略円盤状に形成されており、回転体２２の前面に取り付けられている。なお、ラックプレート２３にも、その中央部分にライナー１を通すための通路が設けられている。そのため、ラックプレート２３は、ライナー１を中心として回転体２２と一体となって回転するのである。
【００３３】
更に、本ラックプレート２３は、ライナー１を中心とした仮想円Ｃ上に等間隔ごとにボビンＢを支持する。ボビンＢは、繊維Ｆが引っ張られることによって回転し、該繊維Ｆを連続的に送り出す。そして、ボビンＢから送り出された繊維Ｆは、全てフィードリング２４へ導かれる。こうして、フープ巻き装置２０は、多数の繊維Ｆを同時にフィードリング２４へ供給するのである。
【００３４】
フィードリング２４は、多数のボビンＢから解除された多数の繊維Ｆをライナー１へ案内するものである。フィードリング２４は、略円環状に形成されており、ラックプレート２３の中央部分に取り付けられている。なお、フィードリング２４は、その内側がライナー１を通すための通路となっている。そのため、フィードリング２４は、ライナー１を中心としてラックプレート２３と一体となって、又は同期して回転するのである（物理的に固定されて回転する若しくは動力伝達装置等を介して回転する）。
【００３５】
更に、本フィードリング２４は、ライナー１を中心とした放射状に等間隔ごとにフィードホール２４ｈが設けられている。繊維Ｆは、フィードホール２４ｈに掛かった状態で屈曲し、所定の方向へ送り出される。そして、フィードホール２４ｈから送り出された繊維Ｆは、全てライナー１へ導かれる。こうして、フープ巻き装置２０は、多数の繊維Ｆを同時にライナー１へ供給するのである。
【００３６】
以上より、本実施形態に係るフープ巻き装置２０の特徴点についてまとめると次のようになる。
【００３７】
本フープ巻き装置２０は、多数のボビンＢを支持するラックプレート２３を備える。また、多数のボビンＢから解除された多数の繊維Ｆをライナー１へ案内するフィードリング２４を備える。そして、ラックプレート２３とフィードリング２４は、ライナー１を中心として一体的に回転する。このような構造により、ライナー１の外周面に多数の繊維Ｆを同時に巻き付けていくことができる。
【００３８】
また、ラックプレート２３は、ライナー１を中心とした仮想円Ｃ上に等間隔ごとにボビンＢを支持する。このような構造により、フィードリング２４の周囲で放射状に繊維Ｆが張られるため、繊維Ｆと繊維Ｆが接触したり絡まったりしない。
【００３９】
更に、フィードリング２４は、ライナー１を中心とした放射状に等間隔ごとにフィードホール２４ｈが設けられている。このような構造により、ライナー１の全周へ多数の繊維Ｆを等間隔に案内できるため、巻き付け角度を小さくした所望の巻き付け態様を実現できる。
【００４０】
加えて、本実施形態に係るＦＷ装置１００の特徴点についてまとめると次のようになる。
【００４１】
本ＦＷ装置１００は、上述したフープ巻き装置２０を備える。また、ライナー１を前後方向へ移送又は停止するライナー支持装置１０を備える。このような構造により、静止しているフープ巻き装置２０に対してライナー１が移動するので、該ライナー１の外周面に連続的に繊維Ｆを巻き付けていくことができる。
【００４２】
次に、他の実施形態に係るフィラメントワインディング装置２００（以降「ＦＷ装置２００」）について説明する。
【００４３】
本実施形態に係るＦＷ装置２００は、上述したＦＷ装置１００とほぼ同様の構成である。従って、ＦＷ装置１００と異なる部分を中心に説明する。
【００４４】
図４は、ＦＷ装置２００を示している。なお、図中の矢印Ｍは、フープ巻き装置２０の移動方向を示している。ここでは、フープ巻き装置２０の移動方向をＦＷ装置２００の前後方向とし、フープ巻き装置２０が移送される一方向を前側、他方向を後側と定義する。
【００４５】
本実施形態に係るＦＷ装置２００も、繊維Ｆによって筒網体Ｎを作成する（図７参照）。ＦＷ装置２００は、主にライナー支持装置１０と、フープ巻き装置２０と、で構成されている。
【００４６】
ライナー支持装置１０は、前後方向に対して平行にライナー１を支持する。ライナー支持装置１０は、主に固定台１１・１２と、挿通軸１３と、で構成されている。
【００４７】
固定台１１・１２は、台床３０に取り付けられている。固定台１１・１２は、移動の手段を備えず、台床３０と一体となっている。なお、固定台１１と固定台１２は、互いに対向するように配置されている。
【００４８】
挿通軸１３は、その一端が固定台１１によって支持されている。また、挿通軸１３は、その他端が固定台１２によって支持されている。ライナー１は、挿通軸１３が挿入された状態で支持されている。
【００４９】
フープ巻き装置２０は、ライナー１の外周面に繊維Ｆを巻き付けていく。フープ巻き装置２０は、主に支持台２１と、回転体２２と、で構成されている。
【００５０】
支持台２１は、台床３０に設けられたレール３１上に載置されている。支持台２１は、動力装置２５を備え、該動力装置２５によってレール３１上を移動する。なお、支持台２１は、固定台１１と固定台１２の間に配置されている。そのため、支持台２１から固定台１１までの距離は、該支持台２１の移動に伴って変化する。同様に、支持台２１から固定台１２までの距離も、該支持台２１の移動に伴って変化する。
【００５１】
回転体２２は、支持台２１の枠内に取り付けられている。回転体２２は、動力装置を備え（図示せず）、該動力装置によって一方へ回転する。なお、回転体２２には、その中央部分にライナー１を通すための通路が設けられている。そのため、回転体２２は、ライナー１を中心として回転することができる。また、回転体２２には、ラックプレートが取り付けられている。また、ラックプレートには、フィードリングが取り付けられている。これらは、ＦＷ装置１００と同様である。
【００５２】
本実施形態に係るＦＷ装置２００の特徴点についてまとめると次のようになる。
【００５３】
本ＦＷ装置２００は、上述したフープ巻き装置２０を備える。また、フープ巻き装置２０を前後方向へ移動又は静止する動力装置２５を備える。このような構造により、静止しているライナー１に対してフープ巻き装置２０が移動するので、該ライナー１の外周面に連続的に繊維Ｆを巻き付けていくことができる。
【００５４】
次に、更に他の実施形態に係るフープ巻き装置５０について説明する。
【００５５】
本実施形態に係るフープ巻き装置５０は、上述したフープ巻き装置２０とほぼ同様の構成である。従って、フープ巻き装置２０と異なる部分を中心に説明する。
【００５６】
図５は、フープ巻き装置５０を示している。また、図６は、図５の矢印Ｘの方向から見た図である。なお、図中の矢印Ｒは、回転体２２、ラックプレート２３、及びフィードリング２４の回転方向を示している。
【００５７】
本フープ巻き装置５０のラックプレート２３は、ライナー１を中心とした仮想円Ｃ１・Ｃ２・Ｃ３上に等間隔ごとにボビンＢを支持する。即ち、ラックプレート２３は、周方向のみならず半径方向にもボビンＢを支持するのである。そして、ボビンＢから送り出された繊維Ｆは、全てフィードリング２４へ導かれる。
【００５８】
更に、本フープ巻き装置５０のフィードリング２４は、ライナー１を中心とした放射状に等間隔ごとにフィードホール２４ｈが設けられている。繊維Ｆは、フィードホール２４ｈに掛かった状態で屈曲し、所定の方向へ送り出される。そして、フィードホール２４ｈから送り出された繊維Ｆは、全てライナー１へ導かれる。こうして、フープ巻き装置５０は、上述したフープ巻き装置２０よりも多くの繊維Ｆを同時にライナー１へ供給するのである。
【００５９】
上述したように、本フープ巻き装置５０のラックプレート２３は、ライナー１を中心とした仮想円Ｃ１・Ｃ２・Ｃ３上に等間隔ごとにボビンＢを支持するとしている。しかし、更に多数のボビンＢを支持すべく、仮想円Ｃ４・Ｃ５・・・上にボビンＢを支持するとしてもよい。また、等間隔ごとにボビンＢを支持せず、フィードリンク２４までガイドを介して繊維Ｆを案内するとしてもよい。
【符号の説明】
【００６０】
１００            フィラメントワインディング装置（ＦＷ装置）
１                ライナー
１０              ライナー支持装置
１１              可動台
１２              固定台
１３              挿通軸
２０              フープ巻き装置
２１              支持台
２２              回転体
２３              ラックプレート
２４              フィードリング
２４ｈ            フィードホール
Ｂ                ボビン
Ｆ                繊維
【図１】
2015085638.tif 000003
【図２】
2015085638.tif 000004
【図３】
2015085638.tif 000005
【図４】
2015085638.tif 000006
【図５】
2015085638.tif 000007
【図６】
2015085638.tif 000008
【図７】
2015085638.tif 000009